(57)【特許請求の範囲】
【請求項１】
ＰＡＬ方式の入力映像信号の色信号復調処理におけるＰＡＬシーケンス判別方法であって、
前記入力映像信号の１水平ラインごとに反転する２水平ライン周期の内部シーケンス信号を発生し、
前記内部シーケンス信号に従って１水平ラインごと交互にバースト位相を＋４５度と−４５度とにシフトし、
前記位相シフト済みバーストのライン間差の大きさを求めると共に、
前記ライン間差の大きさが、前記位相シフト済みバーストのライン間和と所定のオフセット量との加算値以上であることをもって前記内部シーケンス信号が前記入力映像信号のＰＡＬシーケンスと不一致であると判別する、
ＰＡＬシーケンス判別方法。
【請求項２】
ＰＡＬ方式の入力映像信号の色信号復調処理におけるＰＡＬシーケンス判別回路であって、
前記入力映像信号の１水平ラインごとに反転する２水平ライン周期の内部シーケンス信号を発生する内部シーケンス信号発生手段と、
前記内部シーケンス信号に従って１水平ラインごと交互にバースト位相を＋４５度と−４５度とにシフトする位相シフト手段と、
前記位相シフト済みバーストのライン間差の大きさを求めるライン間差算出手段とを備え、
前記ライン間差の大きさが、前記位相シフト済みバーストのライン間和と所定のオフセット量との加算値以上であることをもって前記内部シーケンス信号が前記入力映像信号のＰＡＬシーケンスと不一致であると判別する、
ＰＡＬシーケンス判別回路。
【発明の詳細な説明】
【０００１】
【発明の属する技術分野】
本発明は、ＰＡＬ（Ｐｈａｓｅ Ａｌｔｅｒｎａｔｉｏｎ Ｌｉｎｅ）方式の映像機器に使用して好適なＰＡＬシーケンス判別方法及び回路に関する。詳しくはＰＡＬ方式の映像信号の色信号復調処理に用いられる内部シーケンス信号を良好に発生できるようにするものである。
【０００２】
【従来の技術】
ＰＡＬ方式の映像信号の色信号復調処理においては、入力映像信号の１水平ラインごとに反転する２水平ライン周期の内部シーケンス信号が発生され、この内部シーケンス信号を用いて色信号復調処理が行われる。その場合に、発生される内部シーケンス信号と入力映像信号のＰＡＬシーケンスとの位相は一致していなければならず、これらの一致／不一致を判別して発生される内部シーケンス信号の位相を制御（Ｖ軸反転）する必要がある。
【０００３】
そこで、従来のＰＡＬシーケンス判別方法としては、例えばシステムのＶ軸系に現れる信号のバースト部の符号によって判別する方法が知られている。すなわちこの第１の方法では、Ｖ軸系のバースト部の値が正であれば、そのラインは信号のＶ軸成分が非反転で伝送されているライン、Ｖ軸系のバースト部の値が負であれば、そのラインは信号のＶ軸成分が反転で伝送されているライン、と判定することができる。
【０００４】
また、例えばシステムのＶ軸系に現れる信号のバースト部のライン間差によって判別する方法も知られている。この第２の方法では、Ｖ軸系のバースト部の値について現ラインの値から前ラインの値を減算し、この減算結果が正であれば、そのラインは信号のＶ軸成分が非反転で伝送されているライン、減算結果が負であれば、そのラインは信号のＶ軸成分が反転で伝送されているライン、と判定することができる。
【０００５】
【発明が解決しようとする課題】
ところがこれらの方法では、いずれも復調軸（Ｕ／Ｖ軸）に依存して処理が行われている。このためこれらの方法では映像機器等のシステムの復調軸と入力色信号の軸が一致している状態（位相ロックしている状態）でしか正常な動作を行うことができない。なお判定における許容誤差は、上述の第１の方法においては±４５度、第２の方法においては±９０度である。
【０００６】
一方、上述の映像機器等のシステムでは、通常ＡＰＣ（Ａｕｔｏｍａｔｉｃ Ｐｈａｓｅ Ｃｏｎｔｒｏｌ）等を備えることにより、定常状態では上述の条件が成立するようにされている。しかしながら、例えば信号源の切り換えなどによって色信号の搬送波の周波数や位相に不連続を生じると、システムの復調軸と入力色信号の軸はその瞬間に一致しなくなり、その後システムの過渡応答が収束して定常状態に至るまで数ｍ秒から数十ｍ秒程度の時間を要することになる。
【０００７】
従って上述した従来のＰＡＬシーケンス判別方法では、このような過渡応答がほぼ収束した状態で初めて判別可能となるものである。そしてこの場合に、ＡＰＣの過渡応答による色の変化は滑らかであるのに対して、ＰＡＬシーケンスが正常に判別できないことによる色の変化はライン間の不連続な変化となるため、後者の変化は目障りであり、このようなＰＡＬシーケンス判別の遅れは、システムの信頼性や商品価値を著しく低下させる恐れを生じるものである。
【０００８】
さらに上述の映像機器等のシステムにおいては、例えばＶＴＲ（Ｖｉｄｅｏ Ｔａｐｅ Ｒｅｃｏｒｄｅｒ）の特殊再生時の映像信号が供給された場合に、上述の問題がさらに顕著になる。すなわちＶＴＲの特殊再生では、ノイズバーの部分で色信号の搬送波の不連続を生じることが多い。このとき上述と同様の過渡応答を生じるので、各ノイズバーの後に色の乱れを生じることになって、特に目障りなものになる。
【０００９】
このように上述した従来のＰＡＬシーケンス判別方法では、判別動作がＡＰＣの過渡応答の収束後となるために、色の乱れる期間が長くなり、システムの信頼性や商品価値を著しく低下させるなどの問題を生じるものである。
【００１０】
また別の問題として、上述のＰＡＬシーケンス判別方法では、例えばＶＴＲでのドロップアウトのような瞬間的な信号レベルの低下ないしは消失によって誤判別を生じる恐れがある。
【００１１】
すなわちこのようなドロップアウトが生じた場合に、上述の第１の方法においては、バースト部が消失すると判別結果はノイズによって決まるために、判別結果がランダムなものになってしまう。また第２の方法においては、バースト部が消失すると本来のライン間差が取られるべきところの一方の値がほぼ０になるので、上述の第１の方法と等価になって位相誤差の許容誤差が少なくなり、ノイズの影響を受けやすくなってしまうものである。
【００１２】
この出願はこのような点に鑑みて成されたものであって、解決しようとする問題点は、従来のＰＡＬシーケンス判別方法及び回路では、判別動作がＡＰＣの過渡応答の収束後となるために、色の乱れる期間が長くなって、システムの信頼性や商品価値を著しく低下させ、またドロップアウトのような瞬間的な信号レベルの低下ないしは消失によって誤判別を生じる恐れがあるというものである。
【００１３】
【課題を解決するための手段】
このため本発明においては、発生される内部シーケンス信号に従って１水平ラインごと交互にバースト位相を＋４５度と−４５度とにシフトし、位相シフト済みバーストのライン間差の大きさが所定の判別閾値（位相シフト済みバーストのライン間和と所定のオフセット量との加算値）以上のときは内部シーケンス信号が不一致であると判別するようにしたものであって、これによれば、システムの復調軸に依存しないので、位相ロックしていなくてもシーケンス判別を行うことができ、また判別閾値に余裕があるので、適切な判別閾値を設定することによって瞬間的なレベルの低下による誤判別を防止することができる。
【００１４】
【発明の実施の形態】
すなわち本発明の第１の実施形態は、ＰＡＬ方式の入力映像信号の色信号復調処理におけるＰＡＬシーケンス判別方法であって、入力映像信号の１水平ラインごとに反転する２水平ライン周期の内部シーケンス信号を発生し、内部シーケンス信号に従って１水平ラインごと交互にバースト位相を＋４５度と−４５度とにシフトし、位相シフト済みバーストのライン間差の大きさを求めると共に、ライン間差の大きさが、位相シフト済みバーストのライン間和と所定のオフセット量との加算値以上であることをもって内部シーケンス信号が入力映像信号のＰＡＬシーケンスと不一致であると判別してなるものである。
【００１５】
また、本発明の第２の実施形態は、ＰＡＬ方式の入力映像信号の色信号復調処理におけるＰＡＬシーケンス判別回路であって、入力映像信号の１水平ラインごとに反転する２水平ライン周期の内部シーケンス信号を発生する内部シーケンス信号発生手段と、内部シーケンス信号に従って１水平ラインごと交互にバースト位相を＋４５度と−４５度とにシフトする位相シフト手段と、位相シフト済みバーストのライン間差の大きさを求めるライン間差算出手段とを備え、ライン間差の大きさが、位相シフト済みバーストのライン間和と所定のオフセット量との加算値以上であることをもって内部シーケンス信号が入力映像信号のＰＡＬシーケンスと不一致であると判別してなるものである。
【００１６】
以下、図面を参照して本発明を説明するに、図１は本発明を適用したＰＡＬシーケンス判別回路の一実施形態の構成を示すブロック図である。なお、図１に示される実施形態はデジタル信号処理によって回路を形成しているものである。そしてこの図１において、搬送色信号もしくは複合映像信号の供給される入力端子１からの信号が位相検波用の第１及び第２の乗算器２ａ、２ｂに供給される。
【００１７】
また、搬送波位相発生回路４が設けられ、この搬送波位相発生回路４からは、例えば周波数が色搬送波と概略同じ鋸歯状波信号が発生される。従ってこの搬送波位相発生回路４の出力値は位相の意味を持つものである。さらにこの搬送波位相発生回路４は、例えば上述のＡＰＣによって定常時にはシステムの復調軸と入力色信号の軸が一致するように位相ロックされている。
【００１８】
ここで例えば後述するバーストゲート１２ａ、１２ｂの出力信号から位相検出器３ａで位相誤差が検出される。すなわちバーストゲート１２ａ、１２ｂの出力信号は、位相ロック状態では例えばＶ軸の信号は０値になり、Ｕ軸の信号は負の値になるように設計されている。そこでこれらの出力から位相検出器３ａで位相誤差が検出される。そしてこの位相誤差をループフィルタ３ｂを介して搬送波位相発生回路４に帰還することによって、システムの復調軸と入力色信号の軸が一致するように、発生される鋸歯状波信号の位相制御（ＡＰＣ）が行われる。
【００１９】
さらにこの搬送波位相発生回路４で発生される鋸歯状波信号が、後述する位相シフトを行うための演算回路５を通じて、例えばＲＯＭ（Ｒｅａｄ Ｏｎｌｙ Ｍｅｍｏｒｙ）によって構成されるサイン（ｓｉｎ）、コサイン（ｃｏｓ）の変換テーブル６に供給される。これによってこの変換テーブル６では、例えば図２のＦに示すような鋸歯状波信号が示す位相に応じて、例えば図２のＡ、Ｂに示すようなサイン、コサインに変換された信号が形成される。
【００２０】
そしてこれらのサイン、コサイン信号がそれぞれ乗算器２ａ、２ｂに供給されて、それぞれ色信号が基底帯域に周波数変換されて直交２成分の信号が取り出される。さらにこれらの乗算器２ａ、２ｂから取り出された直交２成分の信号が、色信号の基底帯域を取り出すローパスフィルタ７ａ、７ｂを通じてＰＡＬ方式の色信号を復調するための色信号処理回路８に供給される。なおこの色信号処理回路８は、シーケンス発生回路９からの水平同期信号（Ｈ）に同期した内部シーケンス信号に従って処理が行われているものである。
【００２１】
さらにこのシーケンス発生回路９からの内部シーケンス信号によって、例えば±４５度の位相に対応する値を選択するスイッチ１０が制御されて、例えば図２のＥに示すような信号が取り出される。そして０レベルの信号がスイッチ１１でバースト部のタイミングのみこのスイッチ１０からの信号に切り換えられて、例えば図２のＤに示すような信号が取り出される。さらにこの信号が上述の演算回路５に供給される。なお、図２における水平走査周期と波形の周期との比は、説明のため実際のものとは異なっている。
【００２２】
これによって演算回路５からは、例えば図２のＣに示すようなバースト部のタイミングのみ１水平ラインごと交互に位相値を＋４５度と−４５度とにシフトした鋸歯状波信号が取り出される。なお、この信号は所定ビットのデジタル値で構成されたもので、シフトによってオーバーフローされた値は無視され、すなわち最大値の次の値は最小値にされているものである。そしてこの信号が変換テーブル６でサイン、コサインに変換されて乗算器２ａ、２ｂに供給される。
【００２３】
また、上述のローパスフィルタ７ａ、７ｂから取り出される直交２成分の基底帯域の色信号の成分がバーストゲート１２ａ、１２ｂに供給されてバースト部の信号が取り出される。この取り出された信号がライン間差の大きさを求めるライン間差算出回路１３に供給され、算出されたライン間差の大きさが比較回路１４に供給されて端子１５からの所定の判別閾値と比較される。さらにライン間差の大きさが所定の判別閾値以上のときに出力信号がシーケンス発生回路９に供給されて発生される内部シーケンス信号が反転される。なお端子１６には、水平同期信号（Ｈ）が供給されている。
【００２４】
すなわちこの回路において、内部シーケンス信号が入力映像信号のＰＡＬシーケンスと一致している場合には、図３に示すように、例えば（Ｒ−Ｙ）が反転されていない水平走査期間のバースト部の信号を＋４５度シフトした位相シフト処理済みのバースト位相と、（Ｒ−Ｙ）が反転された水平走査期間のバースト部の信号を−４５度シフトした位相シフト処理済みのバースト位相とは同相になる。このためライン間差算出回路１３から取り出されるこれらのライン間差の大きさはほぼ０となる。
【００２５】
これに対し、内部シーケンス信号が入力映像信号のＰＡＬシーケンスと不一致の場合には、図４に示すように、例えば（Ｒ−Ｙ）が反転された水平走査期間のバースト部の信号を＋４５度シフトした位相シフト処理済みのバースト位相と、（Ｒ−Ｙ）が反転されていない水平走査期間のバースト部の信号を−４５度シフトした位相シフト処理済みのバースト位相とは互いに逆相になる。このためライン間差算出回路１３からはバーストレベルのほぼ２倍の信号が取り出され、比較回路１４からは所定の判別閾値以上とする出力信号が取り出される。
【００２６】
こうして、例えば端子１５から比較回路１４に供給される所定の判別閾値を、０より大きく、またバーストレベルの２倍に相当する大きさより小さく選ぶことによって、上述の内部シーケンス信号が入力映像信号のＰＡＬシーケンスと一致か不一致かの判別を行うことができる。なお、図３、図４は判りやすくするために復調軸と入力映像信号の軸とが一致している状態で描いてあるが、ここでは位相シフト済みのバーストがライン間で同相か逆相かだけが問題なので、相対関係を保ったまま全体が回転していても良く、軸の一致は必要条件ではない。
【００２７】
また、上述の説明では周波数が一致している場合について述べているが、実質的には周波数の一致も必要条件とはならない。すなわち色副搬送波の周波数は一般に正確であることから、通常の変換搬送波の周波数可変範囲は、規格上の周波数±５００Ｈｚ〜１ｋＨｚ程度に設定される。従って入力映像信号の色副搬送波周波数と変換搬送波周波数との差は最大１ｋＨｚ程度である。
【００２８】
一方、この周波数差が１ｋＨｚのときの１ライン当たりの周波数変換後の位相回転は約２３度である。そこで上述の判別でこの周波数変動を考慮すると、位相シフト済みのバーストのライン間の関係が０±２３度の場合と、１８０±２３度の場合とが区別できればよいことになる。これをライン間差算出回路１３の出力に換算すると、それぞれバーストレベルの約０．４０倍、１．９６倍に相当し、上述の判別閾値をこの間に設定しておけば判別可能となるものである。
【００２９】
なお判別閾値については、例えばこれをバーストレベルの１．５倍程度に設定すると、判別に係わる２ラインの内の一方のバーストが消失しても比較回路１４が反転指示パルスを発生しないようにすることができる。これは、例えば上述のＶＴＲ再生でのドロップアウトによる誤判別への対策として有効である。
【００３０】
また、図５に示すように比較回路１４とシーケンス発生回路９との間に連続性判定回路２０を設けてもよい。この連続性判定回路２０は、例えば比較回路１４が所定のライン数連続して反転指示パルスを発生したときのみ、後段にパルスを伝送するものである。この構成によれば、ドロップアウトや瞬間的なノイズによって発生する誤判別の恐れをさらに少なくすることができる。
【００３１】
さらに、図６にはライン間差算出回路１３の具体的な構成を示す。ここで図６のＡは原理に基づいて忠実にベクトル差分を計算するようにしたものである。この図６のＡにおいて、例えば上述のバーストゲート１２ａ、１２ｂの信号から、それぞれ１水平期間の遅延回路（１ＨＤＬ）２１ａ、２１ｂで遅延された信号が減算回路２２ａ、２２ｂで減算される。そしてこれらの減算出力がそれぞれ２乗回路２３ａ、２３ｂで２乗されて加算回路２４に供給され、この加算出力が平方根（√）回路２５に供給されてライン間差に相当する信号が算出される。
【００３２】
このようにしてライン間差の大きさを求めることができるが、上述のように判別閾値に余裕のあることを考慮すると、例えば近似計算を行うことで回路規模を縮小することもできる。すなわち図６のＢの回路では、２乗計算の代わりに絶対値（ＡＢＳ）回路２６ａ、２６ｂを用いて、この絶対値を加算回路２７で加算することで平方根回路２５を省略することができる。また図６のＣに示すように絶対値回路２６ａ、２６ｂの出力を最大値（ＭＡＸ）回路２８に供給して大きい方を取り出すことによってもライン間差に相当する信号の近似値が算出される。
【００３３】
従ってこの回路において、発生される内部シーケンス信号に従って１水平ラインごと交互にバースト位相を＋４５度と−４５度とにシフトし、位相シフト済みバーストのライン間差の大きさが所定の判別閾値以上のときは内部シーケンス信号が不一致であると判別することによって、システムの復調軸に依存しないので、位相ロックしていなくてもシーケンス判別を行うことができ、また判別閾値に余裕があるので、適切な判別閾値を設定することによって瞬間的なレベルの低下による誤判別を防止することができる。
【００３４】
これによって、従来のＰＡＬシーケンス判別方法及び回路では、判別動作がＡＰＣの過渡応答の収束後となるために、色の乱れる期間が長くなって、システムの信頼性や商品価値を著しく低下させ、またドロップアウトのような瞬間的な信号レベルの低下ないしは消失によって誤判別を生じる恐れがあったものを、本発明によればこれらの問題点を容易に解消することができるものである。
【００３５】
さらに図７には、本発明を適用したＰＡＬシーケンス判別回路の他の実施形態の構成のブロック図を示す。この図７の構成においても、搬送色信号もしくは複合映像信号の供給される入力端子１からの信号が位相検波用の第１及び第２の乗算器２ａ、２ｂに供給される。
【００３６】
また、搬送波位相発生回路４が設けられ、この搬送波位相発生回路４からは、例えば周波数が色搬送波と概略同じ鋸歯状波信号が発生される。従ってこの搬送波位相発生回路４の出力値は位相の意味を持つものである。さらにこの搬送波位相発生回路４は、例えばＡＰＣによって定常時にはシステムの復調軸と入力色信号の軸が一致するように位相ロックされている。
【００３７】
ここで例えば後述するバーストゲート１２ａ、１２ｂの出力信号から位相検出器３ａで位相誤差が検出される。すなわちバーストゲート１２ａ、１２ｂの出力信号は、位相ロック状態では例えばＶ軸の信号は０値になり、Ｕ軸の信号は負の値になるように設計されている。そこでこれらの出力から位相検出器３ａで位相誤差が検出される。そこでこの位相誤差をループフィルタ３ｂを介して搬送波位相発生回路４に帰還することによって、システムの復調軸と入力色信号の軸が一致するように、発生される鋸歯状波信号の位相制御（ＡＰＣ）が行われる。
【００３８】
さらにこの搬送波位相発生回路４で発生される鋸歯状波信号が、後述する位相シフトを行うための演算回路５を通じて、例えばＲＯＭ（Ｒｅａｄ Ｏｎｌｙ Ｍｅｍｏｒｙ）によって構成されるサイン（ｓｉｎ）、コサイン（ｃｏｓ）の変換テーブル６に供給される。これによってこの変換テーブル６でサイン、コサインに変換された信号が形成される。
【００３９】
そしてこれらのサイン、コサイン信号がそれぞれ乗算器２ａ、２ｂに供給されて、それぞれ色信号が基底帯域に周波数変換されて直交２成分の信号が取り出される。さらにこれらの乗算器２ａ、２ｂから取り出された直交２成分の信号が、色信号の基底帯域を取り出すローパスフィルタ７ａ、７ｂを通じてＰＡＬ方式の色信号を復調するための色信号処理回路８に供給される。なおこの色信号処理回路８は、シーケンス発生回路９からの水平同期信号（Ｈ）に同期した内部シーケンス信号に従って処理が行われているものである。
【００４０】
さらにこのシーケンス発生回路９からの内部シーケンス信号によって、例えば±４５度の位相に対応する値を選択するスイッチ１０が制御される。そして０レベルの信号がスイッチ１１でバースト部のタイミングのみこのスイッチ１０からの信号に切り換えられる。さらにこの信号が上述の演算回路５に供給される。
【００４１】
これによってこの演算回路５からは、バースト部のタイミングのみ１水平ラインごと交互に位相値を＋４５度と−４５度とにシフトした信号が取り出される。なお、この信号は所定ビットのデジタル値で構成されたもので、シフトによってオーバーフローされた値は無視され、すなわち最大値の次の値は最小値にされるものである。そしてこの信号が変換テーブル６でサイン、コサインに変換されて乗算器２ａ、２ｂに供給される。
【００４２】
また、上述のローパスフィルタ７ａ、７ｂから取り出される直交２成分の基底帯域の色信号の成分がバーストゲート１２ａ、１２ｂに供給されてバースト部の信号が取り出される。この取り出された信号がライン間差の大きさを求めるライン間差算出回路１３に供給される。また、取り出された信号がライン間和の大きさを求めるライン間和算出回路１７にも供給される。さらにこの算出されたライン間和に加算回路１８で端子１９からの任意のオフセットが加算される。
【００４３】
そして上述のライン間差算出回路１３で算出されたライン間差の大きさが比較回路１４に供給されて加算回路１８からの所定の判別閾値と比較され、ライン間差の大きさが所定の判別閾値以上のときに出力信号がシーケンス発生回路９に供給されて発生される内部シーケンス信号が反転される。なお端子１６には、水平同期信号（Ｈ）が供給されている。
【００４４】
すなわちこの図７の構成においては、位相シフト済みバーストのライン間和と所定のオフセット量との加算値を判別閾値とするものである。そしてこの構成によれば、入力映像信号の平均バーストレベルが変化しても安定に判別が可能になる効果を得ることができる。なお、上述のオフセット値は原理的に０で良いが、必要に応じてこの値を選ぶことができ、例えば正の値を与えれば内部シーケンス信号の反転を生じにくくすることができる。
【００４５】
さらにこの図７の構成においても、上述の図５のように比較回路１４とシーケンス発生回路９との間に連続性判定回路２０を設けることができる。この連続性判定回路２０は、例えば比較回路１４が所定のライン数連続して反転指示パルスを発生したときのみ、後段にパルスを伝送するものである。これによってドロップアウトや瞬間的なノイズによって発生する誤判別の恐れをさらに少なくすることができる。
【００４６】
また、図８にはライン間差算出回路１３及びライン間和算出回路１７を含む上述の図７で線で囲った部分の具体的な構成を示す。なおこの図８において、上述の図６の構成と対応する部分には同一の符号を付して説明する。
【００４７】
ここで図８のＡは原理に基づいて忠実に計算するようにしたものである。この図８のＡにおいて、例えば上述のバーストゲート１２ａ、１２ｂの信号から、それぞれ１水平期間の遅延回路（１ＨＤＬ）２１ａ、２１ｂで遅延された信号が減算回路２２ａ、２２ｂで減算される。そしてこれらの減算出力がそれぞれ２乗回路２３ａ、２３ｂで２乗されて加算回路２４に供給され、この加算出力が平方根（√）回路２５に供給されてライン間差に相当する信号が算出される。
【００４８】
さらにバーストゲート１２ａ、１２ｂからの信号と遅延回路２１ａ、２１ｂで遅延された信号が加算回路３１ａ、３１ｂで加算される。そしてこれらの加算出力がそれぞれ２乗回路３２ａ、３２ｂで２乗されて加算回路３３に供給され、この加算出力が平方根（√）回路３４に供給されてライン間和に相当する信号が算出される。このようにしてライン間差及びライン間和の大きさを求めることができるる。
【００４９】
さらに上述のように判別閾値に余裕のあることを考慮すると、例えば近似計算を行うことで回路規模を縮小することもできる。すなわち図８のＢの回路では、２乗計算の代わりに絶対値（ＡＢＳ）回路２６ａ、２６ｂ及び３５ａ、３５ｂを用いて、これらの絶対値を加算回路２７及び３６で加算することで平方根回路２５、３４を省略することができる。また図８のＣに示すように絶対値回路２６ａ、２６ｂ及び３５ａ、３５ｂの出力を最大値（ＭＡＸ）回路２８、３７に供給して大きい方を取り出すことによってもライン間差及びライン間和に相当する信号の近似値が算出される。
【００５０】
従ってこの回路において、発生される内部シーケンス信号に従って１水平ラインごと交互にバースト位相を＋４５度と−４５度とにシフトし、位相シフト済みバーストのライン間差の大きさが所定の判別閾値以上のときは内部シーケンス信号が不一致であると判別することによって、システムの復調軸に依存しないので、位相ロックしていなくてもシーケンス判別を行うことができ、また判別閾値に余裕があるので、適切な判別閾値を設定することによって瞬間的なレベルの低下による誤判別を防止することができる。
【００５１】
これによって、従来のＰＡＬシーケンス判別方法及び回路では、判別動作がＡＰＣの過渡応答の収束後となるために、色の乱れる期間が長くなって、システムの信頼性や商品価値を著しく低下させ、またドロップアウトのような瞬間的な信号レベルの低下ないしは消失によって誤判別を生じる恐れがあったものを、本発明によればこれらの問題点を容易に解消することができるものである。
【００５２】
さらに図７の構成によれば、位相シフト済みバーストのライン間和と所定のオフセット量との加算値を判別閾値とすることによって、バーストの平均レベルが変化しても安定に判別することが可能になり、また同様の理由によってノイズによる誤判別の確率も低くすることができる。
【００５３】
なお、本発明は上述の実施形態に限定されるものではなく、例えば入力信号の色搬送波に対して位相ロックしない変換搬送波を使用するシステムへの適用や、バースト信号の位相シフト処理を基底帯域で行うシステム、入力がすでに基底帯域になっているシステムへの適用など、種々の変形が可能なものである。
【００５４】
また上述の図１、図７の実施形態は、いずれもデジタル信号処理を用いる場合について述べているが、本願はアナログ信号処理においても実施することができるものである。すなわち図９には、例えばアナログ信号処理によって上述の信号処理を実施する場合の実施形態の要部の構成を示す。この図９の回路において、例えば入力搬送色信号もしくは複合映像信号から分離された色バーストが、ＡＰＣ方式、リンギング方式等の信号発生回路４ａに供給されて、例えば所定の位相のサイン波形信号が発生される。
【００５５】
ここで信号発生回路４ａからの信号は、定常時はシステムの復調軸と入力色信号の軸が一致するように位相ロックされるものである。この信号が、±４５度の位相シフトを行う移相器５ａ、５ｂを通じてスイッチ１０で選択され、さらに元の信号とスイッチ１１で選択される。そして上述のシーケンス発生回路９からの内部シーケンス信号によってスイッチ１０が制御され、さらに位相シフトを受けない信号がスイッチ１１でバースト部のタイミングのみこのスイッチ１０からの信号に切り換えられる。
【００５６】
これによってこのスイッチ１１からは、バースト部のタイミングのみ１水平ラインごと交互に位相を＋４５度と−４５度とにシフトした信号が取り出される。そしてこの信号が、一方は直接、他方はさらに移相器６ａで９０度の位相シフトされて、それぞれ乗算器２ａ、２ｂに供給される。したがってこの回路においても、乗算器２ａ、２ｂには上述の図１、図７と同様の位相シフトされたサイン、コサインの信号が供給される。このようにしても、上述のデジタル信号処理と同様の処理を行うことができる。
【００５７】
こうして上述のＰＡＬシーケンス判別方法によれば、入力映像信号の１水平ラインごとに反転する２水平ライン周期の内部シーケンス信号を発生し、内部シーケンス信号に従って１水平ラインごと交互にバースト位相を＋４５度と−４５度とにシフトし、位相シフト済みバーストのライン間差の大きさを求めると共に、ライン間差の大きさが所定の判別閾値以上であることをもって内部シーケンス信号が入力映像信号のＰＡＬシーケンスと不一致であると判別することにより、システムの復調軸に依存しないので、位相ロックしていなくてもシーケンス判別を行うことができ、また判別閾値に余裕があるので、適切な判別閾値を設定することによって瞬間的なレベルの低下による誤判別を防止することができるものである。
【００５８】
また、上述のＰＡＬシーケンス判別回路によれば、入力映像信号の１水平ラインごとに反転する２水平ライン周期の内部シーケンス信号を発生する内部シーケンス信号発生手段と、内部シーケンス信号に従って１水平ラインごと交互にバースト位相を＋４５度と−４５度とにシフトする位相シフト手段と、位相シフト済みバーストのライン間差の大きさを求めるライン間差算出手段とを備え、ライン間差の大きさが所定の判別閾値以上であることをもって内部シーケンス信号が入力映像信号のＰＡＬシーケンスと不一致であると判別することにより、システムの復調軸に依存しないので、位相ロックしていなくてもシーケンス判別を行うことができ、また判別閾値に余裕があるので、適切な判別閾値を設定することによって瞬間的なレベルの低下による誤判別を防止することができるものである。
【００５９】
なお本発明は、上述の説明した実施の形態に限定されるものではなく、本発明の精神を逸脱することなく種々の変形が可能とされるものである。
【００６０】
【発明の効果】
従って請求項１の発明によれば、発生される内部シーケンス信号に従って１水平ラインごと交互にバースト位相を＋４５度と−４５度とにシフトし、位相シフト済みバーストのライン間差の大きさが所定の判別閾値以上のときは内部シーケンス信号が不一致であると判別することによって、システムの復調軸に依存しないので、位相ロックしていなくてもシーケンス判別を行うことができ、また判別閾値に余裕があるので、適切な判別閾値を設定することによって瞬間的なレベルの低下による誤判別を防止することができるものである。
【００６１】
また請求項２の発明によれば、位相シフト済みバーストのライン間和と所定のオフセット量との加算値を求め、この加算値を判別閾値とすることによって、バーストの平均レベルが変化しても安定に判別することが可能になり、また同様の理由によってノイズによる誤判別の確率も低くすることができるものである。
【００６２】
さらに請求項３の発明によれば、発生される内部シーケンス信号に従って１水平ラインごと交互にバースト位相を＋４５度と−４５度とにシフトし、位相シフト済みバーストのライン間差の大きさが所定の判別閾値以上のときは内部シーケンス信号が不一致であると判別することによって、システムの復調軸に依存しないので、位相ロックしていなくてもシーケンス判別を行うことができ、また判別閾値に余裕があるので、適切な判別閾値を設定することによって瞬間的なレベルの低下による誤判別を防止することができるものである。
【００６３】
また、請求項４の発明によれば、位相シフト済みバーストのライン間和と所定のオフセット量との加算値を求める加算値算出手段を備え、この加算値を判別閾値とすることによって、バーストの平均レベルが変化しても安定に判別することが可能になり、また同様の理由によってノイズによる誤判別の確率も低くすることができるものである。
【００６４】
これによって、従来のＰＡＬシーケンス判別方法及び回路では、判別動作がＡＰＣの過渡応答の収束後となるために、色の乱れる期間が長くなって、システムの信頼性や商品価値を著しく低下させ、またドロップアウトのような瞬間的な信号レベルの低下ないしは消失によって誤判別を生じる恐れがあったものを、本発明によればこれらの問題点を容易に解消することができるものである。
【図面の簡単な説明】
【図１】本発明によるＰＡＬシーケンス判別回路の一の実施形態の構成図である。
【図２】その動作の説明のための波形図である。
【図３】その動作の説明のための図である。
【図４】その動作の説明のための図である。
【図５】その変形された実施形態の要部の構成図である。
【図６】図１の要部の構成図である。
【図７】本発明によるＰＡＬシーケンス判別回路の他の実施形態の構成図である。
【図８】図７の要部の構成図である。
【図９】他の実施形態の要部の構成図である。
【符号の説明】
１…搬送色信号もしくは複合映像信号の供給される入力端子、２ａ，２ｂ…乗算器、３ａ…位相検出器、３ｂ…ループフィルタ、４…搬送波位相発生回路、５…位相シフトを行うための演算回路、６…変換テーブル、７ａ，７ｂ…ローパスフィルタ（ＬＰＦ）、８…色信号処理回路、９…シーケンス発生回路、１０…±４５度の位相に対応する値を選択するスイッチ、１１…バースト部のタイミングのみ±４５度に対応する値に切り換えられるスイッチ、１２ａ，１２ｂ…バーストゲート、１３…ライン間差算出回路、１４…比較回路、１５…判別閾値の供給される端子、１６…水平同期信号（Ｈ）の供給される端子
【図１】
0004182594.tif 000002
【図２】
0004182594.tif 000003
【図３】
0004182594.tif 000004
【図４】
0004182594.tif 000005
【図５】
0004182594.tif 000006
【図６】
0004182594.tif 000007
【図７】
0004182594.tif 000008
【図８】
0004182594.tif 000009
【図９】
0004182594.tif 000010